(57)【要約】  本発明は、流体をディスペンス（分配）するデバイスに関する。本発明の実施形態または変形例によれば、本発明による分配デバイスは、チャンバフィルム７１、および／またはリザーバフィルム７２、および／またはガスポケット９２を備える。【選択図】図６
2020512956.tif 000002
【特許請求の範囲】
【請求項１】
ディスペンサデバイスであって、
−  挿入開口（３３）を有するキャップ（３２）と、
−  前記キャップ（３２）の前記挿入開口（３３）の側に挿入した構成で前記キャップ（３２）の中に搭載されたストッパ（２３）と、を備え、
前記デバイスは、内部容積が流体を収容するように構成された変形可能なチャンバ（２）を備え、前記チャンバは、入口（３８）を有し、前記入口（３８）は、前記デバイスが前記入口（３８）から前記チャンバを通って出口（２４）まで流体の循環経路に沿って流体を導く構成となるように、設けられており、前記デバイスは、前記内部容積を変更するため移動可能に構成された押圧部（３７）と呼ばれる部分を有し、
前記デバイスは、前記入口（３８）を介して前記変形可能なチャンバ（２）と連通する流体リザーバ（３）を形成するように前記キャップ（３２）の外方に延びる少なくとも１つのリザーバフィルム（７２）をさらに備え、
前記少なくとも１つのリザーバフィルムは前記ストッパ（２３）が前記キャップ（３２）に及ぼす力によって保持されている。
【請求項２】
請求項１に記載のデバイスであって、前記キャップ（３２）と前記ストッパ（２３）との間に締め付けられて保持されるリザーバフィルム（７２，７２１）を備える。
【請求項３】
請求項１または２に記載のデバイスであって、前記キャップ（３２）の２つの壁（８１，８２）の間に保持されたリザーバフィルム（７２，７２２）を備え、これら２つの壁は、前記キャップ（３２）に挿入された前記ストッパ（２３）が前記キャップ（３２）に力を及ぼすことにより、このリザーバフィルム（７２２）を挟んで互いに接近するように構成されている。
【請求項４】
請求項１乃至３のいずれか一項に記載のデバイスであって、前記変形可能なチャンバ（２）の前記内部容積を少なくとも部分的に画定し、前記キャップ（３２）の前記押圧部（３７）に接触するように構成されたチャンバフィルム（７１）をさらに備える。
【請求項５】
請求項４に記載のデバイスであって、前記チャンバフィルムは、前記キャップ（３２）が前記チャンバ（２）に収容された前記流体と接触しないように、前記変形可能なチャンバ（２）に収容された流体と前記キャップ（３２）との間に位置決めされている。
【請求項６】
請求項４または５に記載のデバイスであって、前記チャンバ（２）の内部に、復元力を前記チャンバフィルムに及ぼして前記チャンバフィルムを前記押圧面（３７）に押し付けるように構成された復帰手段（７３）をさらに備える。
【請求項７】
請求項４乃至６のいずれか一項に記載のデバイスであって、前記チャンバフィルムは前記ストッパ（２３）に溶接されている。
【請求項８】
請求項４乃至７のいずれか一項に記載のデバイスであって、前記チャンバフィルムは、前記キャップ（３２）と前記ストッパ（２３）との間に締め付けられて保持されている。
【請求項９】
請求項４乃至８のいずれか一項に記載のデバイスであって、前記ストッパ（２３）は、２つの端部（７５，７６）を有する細長い部材（７４）を備え、前記端部（７５，７６）のそれぞれは、前記チャンバフィルムに接している周辺部位（７５０，７６０）を有し、前記チャンバフィルムは、前記周辺部位（７５０，７６０）のそれぞれについて、前記周辺部位と前記キャップ（３２）との間に位置している。
【請求項１０】
請求項４乃至９のいずれか一項に記載のデバイスであって、前記チャンバフィルムと前記リザーバフィルムまたは前記リザーバフィルムの１つとは、単一のフィルムである。
【請求項１１】
請求項１乃至１０のいずれか一項に記載のデバイスであって、分配弁（５）をさらに備え、前記分配弁（５）は、開状態において前記チャンバ（２）の内部から前記チャンバ（２）の前記出口（２４）を通って前記デバイスの外に向かう流体の通過を許容し、閉状態において前記通過を許容せず、前記分配弁（５）は、ピン（９０）と可動部材とを有し、
前記ピンは端部を有し、前記端部は、
−  前記分配弁（５）の前記閉状態では、前記チャンバ（２）の前記出口（２４）を閉じ、
−  前記分配弁（５）の前記開状態では、前記チャンバ（２）の前記出口（２４）から離れ、
前記可動部材は、前記チャンバ（２）の前記内部容積の減少、または前記チャンバの前記内部容積（２）における前記流体からの所定の閾値を超える過剰圧力の効果のもとで、前記ピンを前記チャンバ（２）の前記出口（２４）から離れるように動かし、前記分配弁（５）をその閉状態からその開状態に動かすように構成されている。
【請求項１２】
請求項１１に記載のデバイスであって、前記可動部材は、少なくとも１つのガスポケット（９２）の少なくとも１つの可動壁（９１）を備え、各ガスポケットは、ガスを漏れないように収容し、前記変形可能なチャンバ（２）に収容されている前記流体からこのガスを隔離するように構成されている。
【請求項１３】
請求項１２に記載のデバイスであって、前記各ガスポケットの前記可動壁は、前記チャンバ（２）に収容された前記流体と全体が接触するように構成された接触面（９７）を有する。
【請求項１４】
請求項１３に記載のデバイスであって、前記ガスポケットの前記接触面の面積または前記ガスポケットの前記接触面の面積の合計が、前記チャンバの前記出口（２４）を通る流体通路の最小面積よりも、少なくとも３５倍大きい。
【請求項１５】
請求項１３または１４に記載のデバイスであって、前記接触面の少なくとも１つまたは各々が、前記変形可能なチャンバ（２）に収容されている前記流体の側に、凸状である。
【請求項１６】
請求項１２乃至１５のいずれか一項に記載のデバイスであって、前記ピンの伸長軸に沿って整列した複数の前記ガスポケットの複数の前記可動壁を備える。
【請求項１７】
請求項１２乃至１６のいずれか一項に記載のデバイスであって、前記各ガスポケット内の前記圧力が、大気圧±１０％に等しい。
【請求項１８】
請求項１２乃至１７のいずれか一項に記載のデバイスであって、前記分配弁（５）および前記少なくとも１つのガスポケットが、前記デバイスの外部から前記デバイスに挿入され、好ましくは超音波溶接されたモジュール（９３）の一部である。
【請求項１９】
請求項１１乃至１８のいずれか一項に記載のデバイスであって、前記出口（２４）は、柔軟部（９４）と呼ばれる部分と、前記柔軟部よりも剛性の高い材料による剛性部（９５）と呼ばれる部分と、を有する周辺部位によって画定されており、前記剛性部は前記柔軟部よりも前記変形可能なチャンバ（２）の外側に近く、
そして、前記分配弁（５）の閉位置において、前記ピン（９０）の前記端部は、第１の接触線において前記柔軟部に接触し、前記第１の接触線と前記出口（２４）側における前記チャンバ（２）の外部との間の最大距離は、好ましくは６ｍｍより小さく、前記ピン（９０）は、好ましくは前記柔軟部および前記剛性部よりも剛性が高い。
【請求項２０】
請求項１９に記載のデバイスであって、前記分配弁（５）の閉位置において、前記ピンの前記端部は、さらに第２の接触線において前記剛性部に接触し、前記第２の接触線と前記出口（２４）側における前記チャンバ（２）の外部との間の最大距離は、好ましくは６ｍｍより小さい。
【請求項２１】
請求項１１乃至２０のいずれか一項に記載のデバイスであって、前記ピンと前記可動部材は、前記変形可能なチャンバ（２）に収容された前記流体と接触するように構成されている。
【請求項２２】
請求項１１乃至２１のいずれか一項に記載のデバイスであって、前記チャンバ（２）の前記出口（２４）に向けて前記ピンを押すように前記ピンに復元力を及ぼし、前記分配弁（５）をその開状態からその閉状態に復帰させるように構成されている少なくとも１つの復帰手段（９６）を備えている。
【請求項２３】
請求項２２に記載のデバイスであって、前記少なくとも１つの復帰手段（９６）が、前記ガスポケットの少なくとも１つの可動壁を備えている。
【請求項２４】
請求項１２乃至１８のいずれか一項に従属すると考えられる、請求項２２または２３に記載のデバイスであって、前記少なくとも１つの復帰手段が、前記ガスポケットについてまたは前記ガスポケットの少なくとも１つについて、このガスポケット内に、このガスポケットの前記可動壁と接触するスプリングを備えている。
【請求項２５】
請求項１１乃至２４のいずれか一項に記載のデバイスであって、前記分配弁（５）は、前記分配弁の前記開位置において、完全に前記変形可能なチャンバ内にある。
【請求項２６】
請求項１１乃至２５のいずれか一項に記載のデバイスであって、前記ピン（９０）が前記出口（２４）と面一である。
【請求項２７】
請求項１２に従属すると考えられる請求項のいずれか一項に記載のデバイスであって、前記各ガスポケット（９２）が、前記チャンバ（２）内にある。
【請求項２８】
請求項１２に従属すると考えられる請求項のいずれか一項に記載のデバイスであって、前記分配弁（５）および前記少なくとも１つのガスポケット（９２）が、前記デバイスの外部または内部から、前記デバイスに挿入されるモジュール（９３）の一部である。
【請求項２９】
請求項２８に記載のデバイスであって、前記モジュール（９３）は、二重壁を備え、前記ピン（９０）を取り囲んでいる前記二重壁の２つの壁の間に挟んで締め付けることにより、前記デバイスの残り部分、好ましくは前記キャップ（３２）に、固定されている。
【請求項３０】
請求項１乃至２９のいずれか一項に記載のデバイスであって、モジュール（９３）または前記チャンバ（２）が、前記出口（２４）に向かって少なくとも３ｍｍの長さを超えて延びている突出部分（３０５）を備えている。
【請求項３１】
請求項１３に従属すると考えられる請求項のいずれか一項に記載のデバイスであって、前記ガスポケットの前記接触面の前記面積または前記ガスポケットの前記接触面の前記面積の合計が、少なくとも７０ｍｍ２である。
【請求項３２】
請求項１乃至３１のいずれか一項に記載のデバイスであって、前記押圧部（３７）と呼ばれる部分が柔軟面である。
【請求項３３】
請求項１乃至３２のいずれか一項に記載のデバイスであって、前記ストッパ（２３）は、前記ストッパと前記キャップとの間の封止接合状態を有して、前記キャップ（３２）の内側を少なくとも１０ｍｍの長さにわたって摺動するように構成されている。
【発明の詳細な説明】
【技術分野】
【０００１】
本発明は、流体をディスペンス（分配）するデバイスに関する。
本発明の分野は、より具体的には、例えば、製薬または化粧品または農業食品産業のための、液体、ゲル、またはクリームなどの流体の分配に係る分野である。
【背景技術】
【０００２】
流体を分配するデバイスは、
−  ユーザが押すことができるチャンバ、
−  リザーバ、
−  チャンバからデバイスの外側に向かう流体の出口のための分配弁、
−  リザーバからチャンバに向けての流体の通過のための供給弁、を備えている。
【発明の概要】
【発明が解決しようとする課題】
【０００３】
最新技術によるデバイスは、ある問題を提起しうる。
第１の問題は、分配弁の剛性であり、分配弁は、デバイスを閉じなければならず（流体の損失や乾燥を防ぐため）、また、例えば、ユーザが１本の指でチャンバを押して、開けるのが難しすぎてもいけない。
【０００４】
第２の問題は、チャンバ内の流体の保存に関し、特に、流体の組成を変性させないこと、および／または、チャンバの壁の流体による疲労または化学的攻撃の可能性を回避すること、である。
第３の問題は、デバイスの製造容易さ、および／またはデバイスを構成する部品数の削減である。
本発明の目的は、上記の問題の少なくとも１つを解決することにある。
【課題を解決するための手段】
【０００５】
本発明の第１の態様に係る分配デバイスは、
−  出口を有し、内部容積が流体を収容するように構成された変形可能なチャンバと、
−  開状態ではチャンバの内部からチャンバの出口を通ってデバイスの外部への流体の通過を許容し、閉状態ではその通過を許容しない分配弁と、を備えている。
【０００６】
分配弁は、ピンと可動部材とを備えてもよく、ピンは端部を有し、その端部は、
−  分配弁の閉状態ではチャンバの出口を閉じ、
−  分配弁の開状態ではチャンバの出口から離れ、
可動部材は、チャンバの内部容積が減少するかまたはチャンバの内部容積内の流体が特定の圧力閾値を超えて過剰圧力になったときにピンを移動させるように構成されており、ピンをチャンバの出口から遠ざけることにより、分配弁を閉じた状態から開いた状態に移動させる。
【０００７】
可動部材は、少なくとも１つのガスポケットの少なくとも１つの可動壁を備えてもよく、各ガスポケットは、このポケットから出ることができないようにガスを収容し、変形可能なチャンバに収容されている流体からこのガスを隔離するように構成されてもよい。
各ガスポケットの可動壁は、チャンバに収容されている流体と全体が接触するように構成された接触面を有してもよい。
【０００８】
ガスポケットの接触面の面積またはガスポケットの接触面の面積の合計は、チャンバの出口を通る流体通路の最小面積の少なくとも３５倍（好ましくは少なくとも４５倍）大きくてもよい。
【０００９】
ガスポケットの接触面の面積またはガスポケットの接触面の面積の合計は、少なくとも５０ｍｍ２、またはさらには少なくとも７０ｍｍ２、またはさらには少なくとも９０ｍｍ２であってもよい。
少なくとも１つのまたは各々の接触面は、変形可能なチャンバに収容されている流体の側で凸状であってもよい。
【００１０】
本発明のこの第１の態様に係るデバイスは、ピンの伸長軸に沿って整列したいくつものガスポケットのいくつもの可動壁を備えてもよい。
各ガスポケット内の圧力は、１気圧に等しいか、実質的に等しい（±１０％）場合もあれば、１気圧より大きい場合もあり得る。
【００１１】
分配弁（および好ましくは少なくとも１つのガスポケット）は、デバイスの外側または内側からデバイスに挿入され、好ましくは超音波溶接されたモジュールの一部であってもよい。
モジュールは、二重壁を備えてもよく、この二重壁の２つの壁（好ましくはピンを取り囲んでいる）の間に挟んで締め付けることにより、本発明によるデバイスの残りの部分、好ましくはキャップに、固定されてもよい。
モジュールまたはチャンバは、出口に向かって、少なくとも３ｍｍの長さにわたって延びる突出部を備えてもよい。
【００１２】
出口は、周辺部位によって画定されていてもよく、その周辺部位は、いわゆる柔軟部と呼ぶ部分と、柔軟部よりも剛性の高い材料で成り、柔軟部よりも変形可能なチャンバの外側に近い、いわゆる剛性部と呼ぶ部分とを備える。分配弁の閉位置では、ピンの端部は第１の接触線で柔軟部と接触していてもよい。分配弁の閉位置では、ピンの端部はさらに第２の接触線で剛性部と接触していてもよい。ピンは、好ましくは柔軟部および剛性部よりも剛性が高い。
【００１３】
好ましくは、ピンは、出口と面一、または出口から１ｍｍ未満で突出している。
ピンおよび／または可動部材は、変形可能なチャンバに収容されている流体と接触するように構成されてもよい。
【００１４】
本発明の第１の態様に係るデバイスは、分配弁を開位置から閉位置まで戻すため、ピンをチャンバの出口に向けて押すように、ピンに復帰力を及ぼすように構成された、少なくとも１つの復帰手段を備えてもよい。
【００１５】
少なくとも１つの復帰手段は、ガスポケットの少なくとも１つのまたは各々の可動壁を備えてもよい。
少なくとも１つの復帰手段は、ガスポケットまたは少なくとも１つのガスポケットまたは各ガスポケットについて、このガスポケットの内側にあって、このガスポケットの可動壁と接触するスプリングを備えてもよい。
【００１６】
分配弁は、
−  分配弁の閉位置において、変形可能なチャンバ内に部分的に含まれ、および／または
−  分配弁の開位置において、変形可能なチャンバ内に完全に含まれて、もよい。
【００１７】
本発明の第２の態様に係る分配デバイスは、独立しているが、本発明の第１の態様と組み合わせることができるものであり、
−  挿入開口を備えるキャップと、
−  ストッパと、を備え、キャップとストッパは、ストッパが、挿入開口の側におけるキャップ内の挿入アセンブリに従って、キャップに取り付けられるように構成され、デバイスは内部容積が流体を収容するように構成された変形可能なチャンバを備え、前記チャンバは入口を備え、デバイスは入口からチャンバを通過して出口へ向かう流体路に沿って流体を導くように構成され、デバイスは、前記内部容積を変化させるために移動可能に構成された、押圧部（それは、好ましくは変形可能な壁および／または柔軟な表面である）と呼ばれる部分を備えている。
【００１８】
本発明の第２の態様に係るデバイスは、変形可能なチャンバの内部容積を少なくとも部分的に画定し、キャップの押圧部と接触するように構成されたチャンバフィルムをさらに備えてもよい。
チャンバフィルムは、変形可能なチャンバに収容されている流体とキャップとの間に位置するように構成され、キャップがチャンバに収容されている流体と接触しないようにしてもよい。
【００１９】
本発明の第２の態様に係るデバイスは、チャンバ内に、チャンバフィルムを押圧面に押し付ける復元力をチャンバフィルムに及ぼすように構成された復帰手段をさらに備えてもよい。
チャンバフィルムは、ストッパに溶接してもよい。
チャンバフィルムは、キャップとストッパの間に挟んで締め付けてもよい。
【００２０】
ストッパは、２つの端部が設けられた細長い部材を備え、これらの端部の各々がチャンバフィルムと接触する周辺部位を有し、各周辺部位に対してチャンバフィルムがこの周辺部位とキャップとの間に位置するようにしてもよい。
【００２１】
本発明の第２の態様に係るデバイスは、独立ではあるが、場合によってはチャンバフィルムと組み合わせることができる少なくとも１つのリザーバフィルムをさらに備えてもよく、そのリザーバフィルムは、変形可能なチャンバと入口を介して連通する流体リザーバを形成するようにキャップの外側に延びている。
【００２２】
少なくとも１つのリザーバフィルムは、ストッパがキャップに及ぼす力によって保持され得る。
本発明の第２の態様に係るデバイスは、少なくとも１つのリザーバフィルムの中に、ストッパとキャップとの間に挟んで締め付けられることができるリザーバフィルムを備えることができる。
【００２３】
本発明の第２の態様に係るデバイスは、前記少なくとも１つのリザーバフィルムの中には、キャップの２つの壁の間に保持できるリザーバフィルムを備えることができ、その２つの壁は、ストッパがキャップに挿入された後、ストッパがキャップに及ぼす力の作用下でこのフィルムを挟んで接近するように構成されている。
【００２４】
チャンバフィルムと、少なくとも１つのリザーバフィルムの中の少なくとも１つは、同じフィルムであってもよい。
ストッパは、ストッパとキャップとの間の封止接合状態を有して、少なくとも５ｍｍ、さらには少なくとも６ｍｍ、さらには少なくとも１０ｍｍ、さらには少なくとも１５ｍｍの長さにわたって、キャップの内側をスライドするように構成してもよい。
【図面の簡単な説明】
【００２５】
本発明の他の利点および特徴は、実施の詳細な説明および限定的でない実施形態、ならびに以下の添付図面を読むことにより明らかになるであろう。
【図１】図１は、本発明の第１の実施形態に係るデバイスの斜視図である。
【図２】図２は、本発明の第１の実施形態に係るデバイスの一部の断面図である。
【図３】図３は、本発明の第１の実施形態に係る組み立て中のデバイスの一部の斜視図である。
【図４】図４は、本発明の第１の実施形態に係るデバイスの変形例の一部の断面図である。
【図５】図５は、本発明の第１の実施形態に係るデバイスの別の変形例の一部の断面図である。
【図６】図６は、本発明の第２の実施形態に係るデバイスの一部の断面図である。
【図７】図７は、本発明の第２の実施形態に係るデバイスの復帰手段７３の斜視図である。
【図８】図８は、本発明の第２の実施形態に係るデバイスの斜視図であり、リザーバ３の一部がその２つの壁７２１、７２２を示すために部分的に断面になっている。
【図９】図９は、本発明の第２の実施形態に係るデバイスのストッパ２３の斜視図である。
【図１０】図１０は、分配弁５の開位置についての、本発明の第２の実施形態に係るデバイスの一部の断面図である。
【図１１】図１１は、分配弁５の閉位置についての、本発明の第２の実施形態に係るデバイスの一部の断面図である。
【図１２】図１２は、本発明の第２の実施形態に係るデバイスの変形例の一部の断面図である。
【図１３】図１３は、本発明の第２の実施形態に係るデバイスの別の変形例の一部の断面図である。
【図１４】図１４は、本発明の第２の実施形態に係るデバイスの図１２または図１３に示す変形例の、ストッパ２３をキャップ３２に挿入する前の組み立て中の、斜視図である。
【図１５】図１５は、第３の実施形態の断面図である。
【図１６】図１６は、組み立て中の、第３の実施形態の部分断面図である。
【図１６ａ】図１６ａは、第３の実施形態の変形例の部分断面図である。
【図１７】図１７は、第４の実施形態の断面図である。
【図１８】図１８は、第４の実施形態の部分断面図であり、ストッパ２３を二度図示しており、一度はキャップ３２へのストッパ２３の挿入中を点線で示し、もう一度はストッパ２３をキャップ３２に挿入した後を実線で示す。
【図１９】図１９は、第５の実施形態の断面図である。
【図２０】図２０は、第５の実施形態の部分断面図である。
【図２１】図２１は、第５の実施形態の変形例の側面断面図である。
【図２２】図２２は、第５の実施形態の別の変形例の断面図である。
【発明を実施するための形態】
【００２６】
本発明は、これらの実施形態に限定されるものではなく、特に、以下に記載され図示された複数の特徴から選択され、その他の特徴から孤立した特徴を１つしか備えていない本発明の変形例も、（その選択された特徴がその他の複数の特徴を備えた文の中で孤立していたとしても）、その選択された特徴が、技術的な有利性を議論したり、本発明を従来技術と区別するのに十分であるならば、本発明であると見なすことができる。この選択は、構造的な詳細がなくても、或いは、構造的な詳細の一部分しかなくとも、その一部分だけでも、技術的な有利性を議論したり、本発明を従来技術と区別するのに十分であるならば、少なくとも１つの好ましい機能的な特徴を備えているものとみなすことができる。
【００２７】
まず、図１乃至図３を参照して、流体ディスペンサの発明に係る第１の実施形態のデバイス１００を説明する。
流体は、典型的には、液体、クリーム、ペースト、ゲル、気体、またはそれらの混合物である。流体は、好ましくは、液体、クリーム、ペースト、ゲル、またはそれらの混合物を含む。
本明細書で特に明記しない限り、本デバイス１００を構成するすべての固体部品はポリプロピレン（ＰＰ）で作られている。例えば、これらの各パーツの厚さによって、一部のパーツは他のパーツよりも柔軟になり得る。
【００２８】
デバイス１００はキャップ３２を備え、キャップ３２は、
■  少なくとも１つのシェル部３５と呼ばれる部分（例えばポリプロピレン（ＰＰ））と、前記少なくとも１つのシェル部品よりも柔らかい材料で作られた、少なくとも１つの押圧部３７と呼ばれる部分（通常は熱可塑性エラストマ（ＴＰＥ）またはオクテンとエチレンのコポリマ、または非常に薄いポリプロピレン部品）と、を含み、バイインジェクションまたはオーバーモールディングによって形成された外壁、
■  出口２４、
■  挿入開口３３、を備えている。
【００２９】
押圧部３７と呼ばれる部分は、変形可能な壁である。
押圧部３７と呼ばれる部分は、柔軟な表面である。
デバイス１００は、ストッパ２３を備える。
キャップ３２とストッパ２３とは、ストッパ２３が、キャップ３２内の挿入配置構造に従って挿入方向２５に沿って挿入開口３３側からキャップ３２内に挿入され、キャップ３２内の挿入開口３３側に搭載された構成とされている。
【００３０】
ストッパ２３によって、必ずしも固体要素を意味するわけではない。ストッパ２３は、穴を開けられても、流体を通過してもよい。ストッパ２３は、例えば円環またはリングであり得る。ストッパ２３は、キャップ３２に挿入された要素を意味する。
【００３１】
デバイス１００は、内部容積が流体を収容するように構成された変形可能なチャンバ２を備え、変形可能なチャンバ２には出口２４が設けられている。
出口２４は、チャンバ２の内部とデバイス１００の外部とを分離する。
【００３２】
デバイス１００は分配弁５を備え、弁５の開状態ではチャンバ２の内側からチャンバ２の出口２４を通ってデバイス１００の外側に向かう流体の通過を許容し、弁５の閉状態ではそれを許容しない。
分配弁５は、典型的には、ポリプロピレン（ＰＰ）または剛性または半剛性ポリエチレン（ＰＥ）で作られている。
【００３３】
ストッパ２３は、キャップ３２とストッパ２３との組立体が変形可能なチャンバ２を形成するように、挿入開口３３の側からキャップ３２に挿入され、その内部容積は流体を収容するように構成されている。
チャンバ２には入口３８が設けられており、デバイス１００は、その入口３８から流体路に沿って、そしてチャンバ２を通って出口２４に至るまで、流体を導くように構成されている。
【００３４】
入口３８には、供給弁４（通常、熱可塑性エラストマ（ＴＰＥ）または７５ショアＡのオクテンとエチレンのコポリマ）が設けられている。
開いたとき、供給弁４は、リザーバ３からそしてチャンバ２内までの、流体の通過を許容する。閉じたとき、供給弁４は、そのような流体の通過を許容しない。
【００３５】
供給弁４は、分配される流体で満たされたチャンバ２の内部容積の増加中またはチャンバの平衡状態に較べてチャンバ２内が減圧中に開くように構成されている。
供給弁４は、チャンバ２の内部容積の減少中またはチャンバの平衡状態に較べてチャンバ２内が過圧中に閉じるように構成されている。
【００３６】
チャンバ２の平衡状態では、弁４が閉じられていることが好ましい。
入口３８は、ストッパ２３を貫通している。
押圧部３７と呼ばれる部分は、チャンバ２の内部容積を変えるように移動可能に構成されている。
分配弁５は、弁５の可動部材と一体のピン９０（またはロッド９０）を備える。
【００３７】
ピン９０は、
−  分配弁５が閉位置のとき、変形可能なチャンバ２内に、部分的に含まれ（特にピン９０の端部ではない部分が）、および／または、
−  分配弁５が開位置のとき、変形可能なチャンバ２内に、完全に含まれる。
弁５の可動部材は、変形可能なチャンバ２内に完全に含まれる。
【００３８】
分配弁５は、
−  分配弁５が閉位置のとき、変形可能なチャンバ２内に、部分的に含まれ（特にピン９０の端部ではない部分）、および／または、
−  分配弁５が開位置のとき、変形可能なチャンバ２内に完全に含まれる。
【００３９】
ピン９０は端部を有し、その端部は、
−  分配弁５の閉状態では、チャンバ２の出口２４を塞ぎ、
−  分配弁５の開状態では、分配弁５の閉状態に較べて、チャンバ２の出口２４から、離れている。
【００４０】
弁５の可動部材は、チャンバ２の内部容積において、チャンバ２の平衡状態に対して、圧力閾値（復帰手段９６の総体の剛性に特に依存する）よりも大きい流体の過剰圧力の影響下で移動するように構成されており、ピン９０をチャンバ２の出口２４から離して、分配弁５をその閉状態からその開状態に動作させるように、構成されている。このような過剰圧力は、分配される流体で満たされたチャンバ２の内部容積の減少によって引き起こすことができ、例えば、ユーザが柔軟な押圧面３７を押すことによって引き起こされる。
【００４１】
弁５の可動部材は、さらに、他の場合において、弁５を閉じたままに維持するか、またはピン９０をチャンバ２の出口２４に向けて動かして、分配弁５をその開状態からその閉状態に動作させるため動作するように、構成されている。
【００４２】
弁５の可動部材は、少なくとも１つのガスポケット９２の少なくとも１つの可動壁９１を備えている。
各可動壁９１は、変形可能なチャンバ２内に完全に含まれる。
図２には、３つのガスポケット９２が示されている。
【００４３】
各ガスポケット９２は、このポケット９２から出ることのできないようにガス（典型的には空気）を封じ込めている。各ガスポケット９２は、このガス（図では小さな点で表される）を、変形可能なチャンバ２に収容されている流体から隔離するように構成されている。
【００４４】
各ガスポケット９２は、チャンバ２に収容されている流体によって全面的に（このポケット９２の周囲を、ポケット９２の周りの３６０°にわたる閉ループに沿って）囲まれている。
【００４５】
各ガスポケット９２は、
−  このポケット９２の弁５の可動部材の変位、および／またはチャンバ２の出口２４から離れるピン９０の変位、および／または分配弁５の、その閉状態からその開状態への変位が、ポケット９２内のガスの圧縮を引き起こし、
−  このポケット９２の弁５の可動部材の変位、および／またはチャンバ２の出口２４の方向へのピン９０の変位、および／または分配弁５の、その開状態からその閉状態への、変位が、ポケット９２内のガスの膨張を引き起こす、ように構成されている。
【００４６】
各ガスポケット９２の可動壁９１は、チャンバ２に収容されている流体と完全に接触するように構成された接触面９７を有する。
【００４７】
各ポケット９２のこの接触面９７は、壁９１（典型的には１ｍｍ未満または好ましくは５００μｍ未満の厚さ）の表面として定義され、その表面は、チャンバ２に収容されている流体と接触するように構成された第１の面であり、この第１に対向してこのポケット９２のガスと接触する側とは別の側面であり、ピン９０の表面は含まれない。
【００４８】
ガスポケット（単数または複数）９２の接触面９７の領域の合計は、チャンバ２の出口２４を通る流体通路の最小面積９９よりも少なくとも３５倍（さらには少なくとも４５倍）大きい。この最小面積９９は、出口２４を通ってチャンバ２およびデバイス１００の外側に向かう流体の通過平面の最小面積である。
【００４９】
ガスポケット９２の接触面９７の領域の合計は、少なくとも５０ｍｍ２であり、さらには７０ｍｍ２を超え、さらには９０ｍｍ２を超えてもよい。
各接触面９７は、変形可能なチャンバ２に収容されている流体の側に凸状である。
【００５０】
デバイス１００は、ピン９０の伸長軸に沿って整列した、いくつかのガスポケット９２のいくつかの可動壁９１を備えており、この伸長軸は、弁５の開位置と閉位置との間のピン９０の変位軸でもある。
【００５１】
各ガスポケット９２内の圧力は、典型的には、
−  １気圧以上、および／または
−  ０．９乃至１．５気圧の範囲、好ましくは０．９乃至１．１気圧の範囲、好ましくは１気圧に等しい。
【００５２】
分配弁５および少なくとも１つのガスポケット９２は、デバイス１００の外部からデバイス１００に挿入されたモジュール９３の一部である。モジュール９３は、デバイス１００の残り部分、より正確にはキャップ３２に、好ましくは超音波によって、溶接されている。
【００５３】
ピン９０および／または弁５の可動部材は、変形可能なチャンバ２に収容されている流体と接触するように構成される。
ピン９０は、チャンバ２に収容されている流体と部分的にのみ接触するように構成され、実際、弁５の閉位置において、ピン９０の端部は、チャンバ２の内側から見えないように、出口２４によって隠されている。
【００５４】
弁５の可動部材は、チャンバ２に収容されている流体と部分的にのみ接触するように構成され、実際、各可動壁９１は、そのポケット９２内のガスと接触する側面を有する。
【００５５】
デバイス１００は、ピン９０をチャンバ２の出口２４に向けて押すように復元力をピン９０に作用させて分配弁５を開位置から閉位置へ戻すように構成された、少なくとも１つの復帰手段９６を備える。
【００５６】
この実施形態において、少なくとも１つの復帰手段９６は、ガスポケット９２の各可動壁９１（凸状で柔軟）を含む。
各可動壁９１は、その移動中に変形するように構成されている。
従って、この実施形態において、それぞれのポケット９２の復帰手段９６（ここでは可動壁９１）は、変形の作用力を蓄積して剛性を増し、復帰力または閉鎖力がより大きくなる。
【００５７】
各壁９１はドームを形成する。
各ガスポケット９２は、閉状態での弁５の良好な閉止を保証する一方で、弁５の閉状態から開状態への動作をユーザにとって容易にする。
変形可能なチャンバ２の内部容積は、キャップ３２によって少なくとも部分的に画定されている。
変形可能なチャンバ２の内部容積は、ストッパ２３によって少なくとも部分的に画定されている。
【００５８】
分配座は、弁５がその閉状態にあるときの、キャップ３２および／またはモジュール９３における、分配弁５とキャップ３２および／またはモジュール９３との間の、すべての接触点によって形成される。変形可能なチャンバ２の変形中、分配座は静止していることに留意されたい。
【００５９】
入口３８（および／または弁４）と分配弁５の間の流体路には弁がないことに留意されたい。
壁３７と少なくとも１つのポケット９２との間に、機械的接続はなく、壁３７と少なくとも１つのポケット９２との間の唯一の接続は、分配される流体によることに留意されたい。
【００６０】
ここで、図４を参照して、本発明に係る第１の実施形態のデバイス１００の第１の変形例を、先に図１乃至図４によって説明した第１の実施形態との違いについてのみ、説明する。
【００６１】
この変形例では、各可動壁９１は剛性である。各可動壁９１は、その移動中に変形しないように構成されている。
各壁９１はピストンを形成する。
【００６２】
各可動壁９１は、少なくとも１つの復帰手段９６について、その一部ではない。
少なくとも１つの復帰手段９６は、各ガスポケット９２に対して、このガスポケット９２の内側にあり、このガスポケット９２の可動壁９１と接触するスプリングを備えている。
【００６３】
図５を参照して、本発明に係る第１の実施形態のデバイス１００の第２の変形例を、先に図１乃至図４によって説明した第１の実施形態との違いについてのみ、説明する。
この第２の変形例は、ガスポケット９２を備える。
【００６４】
ガスポケット９２の接触面９７の面積は、チャンバ２の出口２４を通る流体通路の最小面積９９よりも、少なくとも３５倍（さらには少なくとも４５倍）大きい。
接触面９７の面積は、少なくとも５０ｍｍ２であり、さらには７０ｍｍ２よりも大きく、さらには９０ｍｍ２よりも大きい。
【００６５】
少なくとも１つの復帰手段９６は、各ポケット９２毎に、
−  このポケット９２の可動壁９１の一部（薄くて柔軟）、および
−  このガスポケット９２の内側にあり、このガスポケット９２の可動壁９１と接触しているスプリング、を備える。
【００６６】
さらに、この変形例において、可動壁９１は、ピン９０の変位軸または伸長軸に対して実質的に垂直の方向に移動可能に、好ましくは傾斜面９８によってピン９０と壁９１とが摺動することにより移動可能に、取り付けられる、ことに留意されたい。デバイス１００は、弁５の開動作／閉動作の間における、ピン９０の伸長軸の並進運動とは異なる壁９１の並進運動を、ピン９０の伸長軸の並進運動に返すように構成されている。
【００６７】
この変形例では、摩擦または滑りによる損失があるが、接触面９７の面積は非常に大きく、１５０ｍｍ２を超える。
最後に、この変形例では、少なくとも１つのガスポケット９２は、モジュール９３の一部ではない。
【００６８】
次に、図６乃至図１１を参照して、本発明に係る第２の実施形態のデバイス２００を、図１乃至図３による第１の実施形態のデバイス１００との違いについてのみ説明する。従って、共通の参照符号は、改めては出されない。
【００６９】
図１０、図１１を参照すると、この第２の実施形態のデバイス２００において、出口２４は周辺部位によって画定されており、その周辺部位は、
−  柔軟部９４、と呼ぶ部分（例えば、熱可塑性コポリエステル（ＴＰＥＥ）製）、および
−  硬性部９５、と呼ぶ部分（例えばポリブチレンテレフタレート（ＰＢＴ）による）であって、柔軟部９４よりも剛性または硬い材料（比較される２つの硬度は、ショアＡまたはショアＤの間で同じユニットで測定される）部分、を有する。
剛性部９５は、柔軟部９４よりも、変形可能なチャンバ２の外側に、より近い。
【００７０】
ピン９０は、柔軟部と剛性部よりも、より剛性でより硬く（比較される硬度は、ショアＡまたはショアＤの間で同じユニットで測定される）。
ピン９０の場合、
−  ピンの硬度が、３０ショアＤより大きく、またはさらには７０ショアＤより大きく、および／または
−  ピン９０の曲げ弾性率が、２００ＭＰａより大きく、またはさらには５００ＭＰａより大きい。
【００７１】
ピン９０は、（図のように）出口２４と面一か、または出口２４から１ｍｍ未満突出している。
ピン９０の端部は、出口２４から１ｍｍ未満（出口２４の前方または後方）にある。
変形例において、ＴＰＥＥとＰＢＴの対を、それぞれポリプロピレン（ＰＰ）とオクテンとエチレンのコポリマーのペアで置き換えてもよい。
【００７２】
図１１に示す分配弁５の閉位置では、ピン９０の端部が、好ましくはピン９０の停止部５１に沿う第１の接触線において柔軟部９４と接触している。この第１の接触線は、ピン９０の周りの閉じた接触線である。
停止部５１は、ピン９０の断面において、ピン９０の側面に１５０°未満の角度を形成している。
【００７３】
図１１に示す分配弁５の閉位置では、ピン９０の端部が、好ましくは、キャップ３２の停止部５２に沿う第２の接触線において剛性部９５と接触している。この第２の接触線は、ピン９０の周りの閉じた接触線である。
停止部５２は、キャップ３２の断面において、キャップ３２の側面に１５０°未満の角度を形成している。
【００７４】
ピン９０は、弁５がその開位置からその閉位置への通過中に、第１の接触線が、第２の接触線よりも先に形成されるように構成される。
第１の接触線とチャンバ２の出口２４側の外部との間の最大距離は、６ｍｍまたはさらには４ｍｍ未満である。
第２の接触線とチャンバ２の出口２４側の外部との間の最大距離は、６ｍｍまたはさらには４ｍｍ未満である。
【００７５】
図６を参照すると、ガスポケット９２は、ピン９０と一体の可動壁９１によって部分的に画定されているが、さらに補償壁８９によって画定されており、その補償壁８９は、可動であって、
−  その第１の面において、ポケット９２に収容されているガスと接触、および
−  その第１の面の反対側の第２の面において、チャンバ２に収容されている流体と接触、していることに留意されたい。
【００７６】
壁９１とは異なり、補償壁８９は、チャンバ２内の壁８９の変位がピン９０、従って弁５の移動を引き起こさないように構成されている。
補償壁８９は、チャンバ２内の流体が受ける変動（例えば温度変動）を、吸収することを可能にし、そのような変動が弁５を開くことがないようにする。
【００７７】
壁８９は、各壁９１よりも、より薄くおよび／またはより柔軟であるかまたはより硬くない（比較される２つの硬度は、ショアＡまたはショアＤの間で同じユニットで測定される）。
さらに、図６は、出口２４に押し付けられた外側キャップ８３を示す。
【００７８】
デバイス２００は、変形可能なチャンバ２の内部容積の少なくとも一部を画定し、キャップ３２の押圧部３７と接触するように構成されたチャンバフィルム７１をさらに備える。
チャンバフィルム７１は、少なくともユーザがこの押圧部３７を押してチャンバ２の内容積を減少させるときに、押圧部３７と接触する。
【００７９】
チャンバフィルム７１は、
−  一つには、初期状態が液体の材料を典型的にはスプレーまたは蒸着によって堆積（例えば、スプレーによるポリウレタン層（ＰＵ）の堆積と、その後のスプレーによるシリコーン層の堆積）されるフィルムである。そのようなフィルムは、典型的には１５０μｍ未満の薄い厚さを有し、または、
−  他の一つには、材料のフィルム（例えば、アルミニウムまたはエチレンとビニルアルコールのコポリマー（ＥＶＯＨ）の中央層があり、この中央層が２層のポリエチレン（ＰＥ）で囲まれている）であって、本発明に係るデバイス２００を構成する他の部品を有する固体と組み合わされるフィルムである。そのようなフィルムは、典型的には１００μｍまたは２００μｍよりも厚い厚さを有する。
【００８０】
チャンバフィルム７１は、キャップ３２の少なくとも一部（好ましくは少なくとも押圧部３７）がチャンバ２に収容されている液体と接触しないように、変形可能なチャンバ２に収容されている流体とキャップ３２との間に、配置されている。
【００８１】
フィルム７１は、ストッパ２３を囲む部分と、キャップ３２の奥部に構成された部分、すなわち挿入孔３３に対向する部分、の２つの部分を有する。
チャンバフィルム７１は、キャップ３２がチャンバ２に収容されている流体と接触しないように、変形可能なチャンバ２に収容されている流体とキャップ３２との間に、配置されている。
【００８２】
チャンバフィルム７１は、キャップ３２とストッパ２３との間の接合部が、チャンバ２に収容されている流体と接触しないように、変形可能なチャンバ２に収容されている流体とキャップ３２との間に配置されている。
デバイス２００は、さらに（特に固体状態で組み立てられたフィルム７１の場合）、復帰力をチャンバフィルム７１に加えて、チャンバフィルム７１を押圧面３７に押し付けるように構成された復帰手段７３を、チャンバ２の内側に備えている。
【００８３】
ストッパ２３は、２つの端部７５，７６が設けられた細長い部材７４を備え、これらの端部のそれぞれは、周辺部位７５０，７６０を有し、各周辺部位７５０，７６０について、チャンバフィルム７１が、この周辺部位７５０，７６０それぞれとキャップ３２との間に配置されて、チャンバフィルム７１と周辺部位７５０，７６０とが接触している。
【００８４】
さらに、チャンバフィルム７１は、各周辺部位７５０，７６０において、ストッパ２３とキャップ３２との間の流体の通過を防止する封止を形成する。
端部７５は、端部７５を通る流体の通過を許容する少なくとも１つの開口６５を有する。
各周辺部位７５０，７６０は、細長い部材７４の周りに３６０°の閉ループを形成する。
【００８５】
チャンバフィルム７１は、ストッパ２３、より正確には、キャップ３２の開口３３から最奥部に位置する端部７５または周辺部位７５０に溶接され、特に、固体状態で組み立てられたフィルム７１の場合にそうである。
【００８６】
チャンバフィルム７１は、好ましくは締め付けにより、キャップ３２とストッパ２３との間に保持され、特に、固体状態で組み立てられたフィルム７１の場合にそうである。より正確には、チャンバフィルム７１は、キャップ３２と、開口３３に対してキャップ３２の最小深さに位置する端部７６または周辺部位７６０との間に、好ましくは挟んで締め付けることにより、保持される。
【００８７】
デバイス２００は、入口３８を介して変形可能なチャンバ２と連通する流体リザーバ３を形成するように、キャップ３２の外側に延びる少なくとも１つのリザーバフィルム７２をさらに備える。
少なくとも１つのリザーバフィルム７２は、ストッパ２３がキャップ３２に及ぼす力によって、少なくとも部分的にデバイス２００に保持される。
【００８８】
図６に示すデバイス２００は、２つのリザーバフィルム７２１，７２２を備えている。
各フィルム７２によって形成されたリザーバ３またはチューブの、キャップ３２および／またはストッパ２３とは反対側の、端部は、好ましくはすべてのフィルム７２（７２１，７２２）に共通である、溶接線５６に沿って溶接される。
【００８９】
有利なこととして、デバイス２００は当然、２枚のフィルム７２１と７２２との間にガス（好ましくは空気）層を含み、層間分離をする処理をしなくて済む。
フィルム７２１および７２２は、一方が他方の内側に入れ子になった２つのチューブである。
【００９０】
第１のリザーバフィルム７２，７２１は、キャップ３２とストッパ２３との間、より正確には、キャップ３２と、開口３３に対してキャップ３２の最小深さに位置する端部７６または周辺部位７６０との間に挟んで締め付けられる。
【００９１】
第２のリザーバフィルム７２，７２２は、キャップ３２の２つの壁８１，８２の間に保持されており、これらの２つの壁８１，８２は、ストッパ２３をキャップ３２に挿入することにより、ストッパ２３がキャップ３２に及す力の作用の下でリザーバフィルム７２，７２２を挟んで締め付けるため接近するように、構成されている。
２つの壁８１，８２は、同心であり、それぞれ閉ループを形成している。
【００９２】
これらの壁の２番目８２は、外側のリングである。
この場合、キャップ３２は２つの部分、すなわち壁８１を含む部分とリング８２を含む部分とを備える。リング８２は、嵌め込み部品である。
これらの壁の１番目８１は、外側リング８２の内側に位置しているキャップ３２の壁である。
【００９３】
壁８１とリング８２の間には、材料の不連続性がある。
なお、リザーバフィルム７２１とチャンバフィルム７１は同じフィルムである。
フィルム７２２は、ポリエチレン（ＰＥ）製である。
リザーバフィルム７２１および／または７２２は、それ自体の上に巻かれたロールドフィルム、または、押し出しまたは共押し出しにより作られチューブから作られてもよい。
【００９４】
フィルム７２２は、壁８２の下に隠された少なくとも１つの穴５５を備えており、これは、例えば、フィルム７２１の温度変化中の収縮または膨張中に、気体または空気が２つのフィルム７２１，７２２間の空間に出入りできるようにする。
【００９５】
２つのフィルム７２１，７２２は、溶接部５６の位置を除いて同心円状であり、溶接部５６の位置を除いて、これらのフィルム７２１，７２２の各々は、リザーバ３内に位置する同じ軸（これら２つのフィルム７２１，７２２に共通）を囲んで閉じた壁を形成する。
フィルム７２１および７２２は、キャップ３２の両側面に構成されている。
【００９６】
より具体的には、２つのフィルム７２１および７２２は、キャップ３２の壁８１の両面に位置する。
チャンバフィルム７１は、チャンバ２の流体の保持を改善することができ、流体からの化学的攻撃、特にキャップ３２の壁、およびキャップ３２とストッパ２３との間の接合部に対する化学的攻撃を回避できることに留意されたい。
【００９７】
チャンバフィルム７１はまた、デバイス２００の外側に光および／または空気に対する障壁を形成し、チャンバ２に収容されている流体の蒸発を回避し、チャンバ２に収容されている流体の組成物の変性を回避する、ことを可能にする。
【００９８】
リザーバフィルム７２は、本発明に係るデバイス２００の製造プロセスを簡素化すること、および／または本発明に係るデバイス２００を構成する部品の数を減らすことを可能にすることに留意されたい。
変形可能なチャンバ２の内部容積は、面３７とチャンバ２との間に構成されたフィルム７１によって少なくとも部分的に画定されている。
変形可能なチャンバ２の内部容積は、ストッパ２３によって少なくとも部分的に画定されている。
【００９９】
次に、図１２、図１４を参照して、本発明に係る第２の実施形態のデバイス２００の第１の変形例を、図６乃至図１１によって先に説明した第２の実施形態との違いのみについて、説明する。
この変形例では、図６乃至図１１の場合とは異なり、可動壁９１は、凸状ではなく、ドームを形成せず、ピストンを形成する。
【０１００】
少なくとも１つの復帰手段９６は、可動壁９１を含まないが、各ガスポケット９２に対して、このガスポケット９２の内側でこのガスポケット９２の可動壁９１と接触するスプリングを含む。
この変形例は、リザーバフィルム７２１を含まない。
【０１０１】
リザーバフィルム７２２は多層フィルムであり、例えば、
−  内側の厚み（リザーバ３に含まれる液体の側）が、ポリエチレン（ＰＥ）またはエチレン酢酸ビニル（ＥＶＡ）で作られ、
−  外側の厚みが、アルミニウムまたはエチレンとビニルアルコールのコポリマー（ＥＶＯＨ）の中央層を含み、この中央層が２層のポリエチレン（ＰＥ）に挟まれている、という構成を有することに留意されたい。
これらの２つの厚みは層間剥離が可能である。
【０１０２】
図１３、図１４を参照して、本発明に係る第２の実施形態のデバイス２００の第２の変形例を、図１２乃至図１４によって先に説明した第２の実施形態の第１の変形例との違いのみについて、説明する。
【０１０３】
この第２の変形例では、壁８２はリングではない。壁８１と８２の間に材料の不連続性はない。
【０１０４】
図１５、図１６を参照して、流体ディスペンサの発明に係る第３の実施形態のデバイス３００を説明する。
この実施形態３００は、図６乃至図１１の第２の形態２００との違いについてのみ、説明される。
【０１０５】
このデバイス３００において、変形可能なチャンバ２の内部容積は、
−  キャップ３２によって、少なくとも部分的に画定されてなく、
−  少なくとも部分的にストッパ２３によって、好ましくはストッパ２３のみ（この実施形態ではストッパ２３に一体化されている壁７１）によって、画定されている。
【０１０６】
デバイス３００は、補償壁８９を含まない（しかし、変形例ではそれを含んでもよい）。
弁５は、ピン９０または復帰手段９６を含まない。弁５は、分配ハウジング８内に構成される。
【０１０７】
弁５は、
−  開状態では、分配ハウジング８を介してチャンバ２の内部から出口２４への流体の通過を許容し、
−  閉状態では、ハウジング８を介してチャンバ２の内部から出口２４への流体の通過を許容しない。
【０１０８】
弁５は、ハウジング８に締め付け固定されている。
分配弁５は、ハウジング８の内壁の間に（好ましくは締め付け固定またはクリップ留めにより）保持される部位１１を備える。
部位１１は、分配弁５の開閉状態の間において静止している。
【０１０９】
分配弁５は、可動部分１２を備えており、可動部分１２は、この分配弁５の閉状態では分配座１０５を塞ぐように分配座１０５に押し付けられ、この分配弁５の開状態では分配座１０５を開けるように分配座１０５から離れる。
【０１１０】
この部分１２は膜または薄膜である。
部分１２は、分配弁５の開閉状態の間において移動可能である。
【０１１１】
さらに、分配座１０５は、ハウジング８の内壁の側面部分であり、座１０５は、好ましくは平坦な（または湾曲した）、ハウジング８の内壁の一面に限定されており、弁５を含むハウジング８部分の伸長方向に垂直な平面に作られるハウジング８の断面における全周ではない。
【０１１２】
チャンバフィルム７１は、変形可能なチャンバ２の内部容積を少なくとも部分的に画定するものであり、（少なくとも、ユーザがチャンバ２の内部容積を減少させるためにこの押圧部３７を押圧する場合に）キャップ３２の押圧部３７と接触するように構成されており、入口３８を持つストッパ２３の部分に固定されている。
フィルム７１は、入口３８を持つストッパ２３の部分と同じ材料で成る。
【０１１３】
フィルム７１および入口３８を持つストッパ２３の部分は、材料に不連性がない単一の部品を形成する。
フィルム７１は、注入によって作成することができる。
フィルム７１の柔軟性は、入口３８を持つストッパ２３の部分よりも薄い厚さによって得られる。
デバイス３００は、復帰手段７３を含まない（しかし、変形例には存在してもよい）。
【０１１４】
従って、ストッパ２３は、次の２つの部品を有する。
−  後部品３１１、これは、フィルム７１と、入口３８を持つストッパ２３の部分とを備える、および
−  前部品またはモジュール９３、この中にハウジング８が形成され、また、これは、フィルム７１と入口３８を持つストッパ２３の部分とを含む部品に、入口３８を持つストッパ２３の部分に対向してチャンバ２の一端に位置する開口から挿入され、取り付けられる。変形例（図示せず）では、この前部品は、前述のようにポケット９２とピン９０っとを備えた、モジュール９３に置き換えることができる。
【０１１５】
フィルム７１（ほとんど０．３ｍｍの厚さ）は、円周方向の特別な厚み（約０．８ｍｍの総厚さ）を有し、その内部に前部品９３が収容されている。
前部品またはモジュール９３は、チャンバ２から出口２４に向かう突出部分３０５を有する。
この部分３０５は、少なくとも３ｍｍの長さにわたって延びている。
【０１１６】
この部分３０５は、分配弁５の少なくとも一部を含み、弁の閉止部分（分配座）を前方側に離しており、このことは、
−  弁５以降における（保護されていない）液体のデッドゾーンを減らし、
−  押圧部を出口２４に近づけすぎないようにし（使用がより快適）、
−  アプリケータ（不図示）を固定または取り付ける、ことを可能とする。
【０１１７】
この突出部分３０５は、長さが少なくとも３ｍｍ、さらには少なくとも５ｍｍ、さらには少なくとも１０ｍｍにわたって延びている。
変形例においては、これらの２つの前部品と後部品は、材料の不連続性なしに単一の部品として結合される。
リザーバフィルム７２は、入口３８を持つストッパ２３の一部と一体化している。
【０１１８】
フィルム７２は、入口３８を持つストッパ２３の部分と同じ材料で成る。
フィルム７２と、入口３８を持つストッパ２３の部分とは、材料の不連続性がない単一の部品を構成する。
フィルム７２の柔軟性は、入口３８を持つストッパ２３の部分よりも薄い厚さによって得られる。
【０１１９】
従って、ストッパ２３は、次の２つの部品を有する。
−  後部品３１１、これは、フィルム７１と、フィルム７２と、入口３８を持つストッパ２３の部分とを備える、および
−  前部品またはモジュール９３、この中にハウジング８が形成され、また、これは、フィルム７１と入口３８を持つストッパ２３の部分とを含む部品に、入口３８を持つストッパ２３の部分に対向してチャンバ２の一端に位置する開口から挿入され、取り付けられる。
【０１２０】
変形例では、これらの２つの前部品と後部品は、材料の不連続性なしに単一の部品として結合される。
このストッパは、従って、デバイス３００の交換可能な詰め替え品を形成する。この詰め替え品は、チャンバ２を合体している。このチャンバ２は、少なくとも部分的に、薄い円筒壁７１によって作られている。
【０１２１】
このストッパ２３は、ケース内に完全に封入されており、そのケースは、
−  キャップ３２と
−  キャップ３２に（例えば、キャップ３２へのネジ止めまたはクリップ留めによって）取り付けられたベース３２１と、を備えている。
【０１２２】
変形例として、ストッパ２３は、リザーバ３に向いた部品を（適所に）備えて、格納中にリザーバ３が挟まれて押さえつけられるのを防ぐことができる（図示せず）。
キャップ３２は、そのキャップ３２の外側に、出口２４と連通する開口を有する付属品３０２を（例えば、キャップ３２にクリップ止めまたはねじ止めされて）備えられる。
【０１２３】
詰め替え品２３，５，８，７１，７２（より正確には、中にハウジング８が形成される前部品）は、キャップ３２とともに封止領域３０１を有しており、出て行く産物がキャップ３２に入らないように、例えば、キャップ３２と変形可能なチャンバの壁７１との間に入らないようにする。
【０１２４】
同様に、付属品３０２とキャップ３２との間に封止領域３０３を有する。
詰め替え品２３，５，８，７１，７２は、横方向のインターロック３０４と封止領域３０１におけるわずかな締め付けとによって、キャップ３２内に維持される。
【０１２５】
付属品またはアプリケータ３０２は、
−  先端部品３０８と発泡体３０９（図１５および１６に示す）、および／または
−  ブラシ、および／または
−  ボール、および／または
−  マッサージ用具、および／または
−  その他など、を備えることができる。
突出領域３０５は、少なくとも３ｍｍ、さらには少なくとも８ｍｍの長さにわたってストッパ２３から突出する。
【０１２６】
アプリケータ用具３０９の手前の出口２４と連通するアクセサリ３０２の開口のデッドゾーン３０６は、１５ｍｍ未満、さらに好ましくは１０ｍｍ未満、理想的には５ｍｍ未満の長さである。
弁５の閉じ口と押圧領域３７の中心との間の距離３０７は２０ｍｍ以上である。
【０１２７】
弁５は付属品３０２に入る。
ボタン３７は、
−  図示のように柔軟か、または
−  剛性の変形例においては、レバーアームを形成するようにスライド可能または関節式にするか、いずれかとすることができる。
【０１２８】
図１６ａに示すように、付属品３０２は、キャップ３２に直接一体化することができる。
モジュール９３（弁５を含む）は、キャップ３２の内側に向いた注ぎ口３１０に挿入される。
モジュール９３と注ぎ口３１０との間の接合部は、分配される産物に対して封止されている。
この注ぎ口３１０は、キャップ３２の一部である。
【０１２９】
図１６に示すように、チャンバ２（より正確にはモジュール９３）は、チャンバ２の壁の端面３１９と突出部分３０５との交差部で始まるチャンバチャネル３２０を有する。
分配座は、チャンバチャンネル３２０にあるか、チャンバチャンネル３２０から最大で１ｍｍ離れている。
【０１３０】
図１６ａに示すように、注ぎ口３１０には２つの開口部がある。一方は他方よりも小さく（Ｐ）、もう一方は他方よりも大きい（Ｇ）。小さい部分には、突出部１２の端部における弁５の、好ましくは円筒形の、ピンが取り付けられている。このインターロック（丸型）の締め付けは十分である。この突出部は偏芯している。デバイス３００は、デバイス３００内でカートリッジまたは詰め替え品を方向付けるためのインデックス手段を備えている。
【０１３１】
次に、図１７、図１８を参照して、流体ディスペンサの発明に係る第４の実施形態のデバイス４００について説明する。
この実施形態４００は、図６乃至図１１の第２の実施形態２００との違いについてのみ説明される。
【０１３２】
分配弁５および少なくとも１つのガスポケット９２は、デバイス４００の内部から（より正確にはキャップ３２の内部から、より正確にはチャンバ２の内部から）、デバイス４００に挿入された、モジュール９３の一部である。モジュール９３は、デバイス４００の残りの部分、より正確にはキャップ３２に、好ましくは超音波で溶接されている。
【０１３３】
モジュール９３は、２つの直径を有するタンク４０２を備え、その２つの直径の部分は、
−  ピン９０を受け入れ、キャップ３２を通過する、より小径の部分と、
−  壁９１を受け入れ、壁９１に直接溶接するための、より大径の部分と、である。
【０１３４】
それは同じ部品、すなわち中間体のないタンク９２であり、一方では壁９１に直接取り付けられ、他方では分配座が形成される。
モジュール９３は、タンク４０２に（典型的には溶接または嵌め込みによって）固定されたカバー４０３を備えており、壁９１によってポケット９２の内側を画定している。
【０１３５】
モジュール９３（より正確にはタンク４０２）は、二重壁４０４を備え、デバイス４００の残りの部分、好ましくはキャップ３２に固定されており、その固定は、ピン９０を取り囲んでいるこの二重壁の２つの壁の間に（キャップ３２を）挟んで締め付けることによって行われる。これにより、分配座（例えば、９４および／または９５）における、応力や変形を回避できる。変形例では、キャップ３２が、二重壁を備え、モジュール９３（より正確にはタンク４０２）に固定され、その固定は、ピン９０を取り囲んでいるこの二重壁の２つの壁の間に（モジュール９３、より正確にはタンク４０２を）挟んで締め付けることによって行われる。
【０１３６】
デバイス４００は、補償壁８９を備えていない（しかし、それを変形例に含むことができる）。
デバイス４００は、チャンバフィルム７１を備えていない。
変形可能なチャンバ２の内部容積は、キャップ３２によって少なくとも部分的に画定されている。
チャンバ２の内部容積は、押圧部３７と呼ばれる部分によって少なくとも部分的に画定されている。
【０１３７】
チャンバ２の内部容積は、少なくとも部分的にシェル部分３５と呼ばれる部分によってさらに画定されている。
変形可能なチャンバ２の内部容積は、ストッパ２３によって少なくとも部分的に画定されている。
デバイス４００は、両方のリザーバフィルム７２１，７２２を備えている。
リザーバフィルム７２１は、ストッパ２３がキャップ３２に及ぼす力によって少なくとも部分的にデバイス４００に保持される。
【０１３８】
リザーバフィルム７２１は多層フィルムであり、例えば、
−  内側の厚み（リザーバ３に含まれる液体の側）が、ポリエチレン（ＰＥ）またはエチレン酢酸ビニル（ＥＶＡ）で作られ、
−  外側の厚みが、アルミニウムまたはエチレンとビニルアルコールのコポリマー（ＥＶＯＨ）の中央層を含み、この中央層が２層のポリエチレン（ＰＥ）に挟まれている、という構成を有する。
【０１３９】
フィルム７２１は、リザーバ３内の産物と接触して収縮し得る。
リザーバフィルム７２２は、キャップ３２と一体である。
フィルム７２２は、キャップ３２と同じ材料で成る。
フィルム７２２およびキャップ３２は、材料の不連続性のない単一の部品を形成している。
【０１４０】
フィルム７２２は、フィルム７２１の変形を隠すことができる。
フィルム７２２の柔軟性は、キャップ３２またはキャップ３２の残りの部分よりも薄い厚さによって得られる。
各フィルム７２１，７２２によって形成されたリザーバ３またはチューブの、キャップ３２および／またはストッパ２３とは反対側にある端部は、すべてのフィルム７２１，７２２に共通であり得る１つまたは２つの溶接線５６に沿って溶接されている。
【０１４１】
有利には、デバイス４００は、当然ながら、２つのフィルム７２１と７２２の間に気体（好ましくは空気）の層を含む。
フィルム７２１および７２２は、一方が他方の内側に入れ子になった２つのチューブである。
リザーバフィルム７２，７２１は、ストッパ２３の２つの壁１８１，１８２の間に挟んで締め付けて保持される。
２つの内壁１８１および外壁１８２は同心であり、それぞれ閉ループを形成している。
【０１４２】
ストッパ２３がキャップ３２に及ぼす（およびその逆の）力が、２つの壁１８１，１８２を互いに締め付け、フィルム７２１の一部が２つの壁１８１，１８２の間に配置されており、２つの壁１８１，１８２がそのフィルムを保持する。
壁１８１は、壁１８２と一体である。
壁１８１は、壁１８２と同じ材料で成る。
壁１８１および壁１８２は、材料の不連続性のない単一の部品を形成する。
【０１４３】
モジュール９３（図示のように）またはキャップ３２（不図示）は、ピン９０を取り囲む突出部を有し、それはキャップ３２の外側に出ており、
−  カバー８３が閉じられたとき、カバー８３の（突出部に関して正面となる）正面（柔軟）部４０５と接触し、
−  カバー８３が閉じられたとき、カバー８３の側方スカート４０６（突出部に関して側方となる）と接触する。
【０１４４】
溶接された薄壁７２２（ストッパを避ける）の場合、リザーバフィルム７２１は、キャップ３２，７２２から突出し、リザーバ３を充填後、溶接されて、ストッパ２３を（例えば、１から２ｃｍの間で）方向２５に沿ってスライドさせて、キャップ３２に押し込まれる。この場合、締め付けの構成要素に２つの位置があり、とび出た最初の位置と、後退した位置であり、より後退した位置のほうが締め付けがより強くできる。この場合、ツールを通すために（好ましくはストッパ２３の外壁１８２から出ており、キャップ３２，３５に接触する、ストッパ２３のフィンを有する）スペーサがあり、スペーサは、図１８に示すように、フィルム７２１および７２２の間隔を開けて、壁７２１をキャップ３２の内方側に向けて押すことができるように構成されている。
【０１４５】
フィルム７２２は、２つのフィルム７２１と７２２との間に空気の通過を許容するため、好ましくは穿孔（例えば、レーザー穿孔）される。
変形例では、デバイス４００は、フィルム７２１のみを備えフィルム７２２は備えず、またはフィルム７２２を備えフィルム７２１は備えない。
【０１４６】
デバイス４００において、前述の実施形態１００乃至３００のそれぞれと同様に、各押圧面３７は、いわゆる横方向の押圧力を受けるように構成され、出口２４は、各押圧力に垂直または実質的に垂直な分配方向に流体を分配するように構成されていることに留意されたい。
【０１４７】
デバイス４００は、前述の実施形態２００から３００のそれぞれと同様に、２つの端部の間に延びる細長い形状を有しており、
−  各押圧面３７は、これらの２つの端部の間に横方向に構成され、
−  出口２４はこれらの端部の１つに構成されている、ことに留意されたい。
【０１４８】
図１８に示すように、ストッパ２３は、ストッパとキャップとの間の封止接合状態を有して、少なくとも５ｍｍ、さらには少なくとも６ｍｍ、さらには少なくとも１０ｍｍ、さらには少なくとも１５ｍｍの長さにわたって、キャップ３２の内側をスライドするように構成されている。
図１８に示すように、チャンバ２（より正確にはモジュール９３）は、チャンバ２の壁の端面３１９と突出部分３０５との交差位置で始まるチャンバチャネル３２０を有する。
分配座は、チャンバチャンネル３２０内にあるか、またはチャンバチャンネル３２０から最大で１ｍｍ離れたところにある。
【０１４９】
次に、図１９、図２０を参照して、流体ディスペンサの発明に係る第５の実施形態のデバイス５００について説明する。
この実施形態５００は、図１７、図１８の第４の実施形態４００との違いについてのみ説明される。
【０１５０】
この形態のデバイス５００は、前述の弁４を備えている。
壁１８１，１８２は、同材料でも異材料でもよい。
壁１８１と壁１８２は、２つの別個の部品を形成しており、壁１８１，１８２の間には材料の不連続性が有る。
【０１５１】
このストッパ２３は、ケース内に完全に囲まれており、そのケースは、
−  キャップ３２と、
−  キャップ３２に（例えば、キャップ３２にネジ止、またはクリップ留によって）取り付けられたベース３２１と、を備えている。
【０１５２】
チューブ５００は、ケースのベース３２１を有し、それはキャップ３２（図示せず）またはストッパ２３にクリップ留めすることができる。サイドボタン５０１（柔軟性）は、好ましくは、変形可能な壁３７とともに、オーバーモールディングまたは二重注入によって形成され、クリップ５０２を見えなくすることができる。これらのクリップ５０２は、ストッパ２３上に作成できる。
【０１５３】
キャップ３２は、その入口２４を下に向けてデバイス５００を直立させるように構成された脚部５０８を備えている。
ストッパ２３は、リザーバ３がストッパ２３に押し込まれたとき、リザーバ３が有する蓋に穴を開けるように構成された穿孔器５０５を備えており、このように穴を開けられた蓋が入口３８を形成する。
フィルム７２，７２１と蓋とによって形成されたカートリッジが、押し込まれてストッパ２３によって、より正確には穿孔器５０５によって、突き刺されてもよい。
【０１５４】
最初のカートリッジへの充填は、カートリッジを取り付けて実行でき、
−  ノズル５０３を付属突起５０４にあてがい、
−  真空引きとカートリッジの充填を行った後、
−  付属突起５０４の溶接が行われる。空気の侵入を防ぐため、ノズル５０３の切り離し前に、溶接することが好ましい。
プライミング（初期始動、呼び水動作）が一度行われると、カートリッジ７２，７２１は、２回目のプライミングなしで交換できる。
【０１５５】
次に、図２１を参照して、流体ディスペンサの発明によるデバイス５００の第５の実施形態の変形例を説明する。
この変形例は、図１９、図２０のデバイス５００に関するその違いについてのみ説明される。
壁１８１は、壁１８２と一体である。
壁１８１は、壁１８２と同じ材料である。
壁１８１と壁１８２は、材料の不連続性のない単一の部品を形成する。
【０１５６】
フィルム７２１は、チューブを形成し、
−  その一方の端部が、ストッパ２３によってキャップ３２に加えられる力で少なくとも部分的に締め付けられて保持され、
−  その他方の端部が、充填孔５０４が設けられて、通常、フィルム７２１に溶接または挟まれて（ここでは図２１に示すように挟まれて）いる底部５０６によって、保持されている。
【０１５７】
上述の実施形態について示したように、この変形例のデバイス５００は、ツールを通すために（好ましくはストッパ２３の外壁１８２から出ており、キャップ３２，３５に接触する、ストッパ２３のフィンを有する）スペーサを備えており、壁７２１がキャップ３２の内部に向けて押し込まれ得るようにするため、図２１に示すように、フィルム７２１と７２２を離す構成とされている。
【０１５８】
もちろん、本発明は、ここで説明した例に限定されず、本発明の範囲から逸脱することなくこれらの例に多くの調整を行うことができ：
−  フィルム７１（図２に示す）、および／または図１０、図１１を参照して説明したように１つまたは複数の接触線、および／または補償壁８９は、図１乃至図５の第１の実施形態の各変形例の各々においても存在することが好ましく、および／または、
−  第１の実施形態１００と同様に、第２の実施形態２００または第４の実施形態４００または第５の実施形態５００の変形例は、好ましくはロッド９０またはピン９０の伸長および／または変位の方向に沿って整列したいくつかのガスポケット９２を備えてもよく、および／または、
−  前述の変形例実施形態のそれぞれにおいて、補償壁８９は、可動壁９１によって画定された各ガスポケット９２から独立した、ガスポケット９２の壁であってもよく、および／または、
−  図１３に示すように、前述の変形例または実施形態のそれぞれにおいて、壁８１および／または８２は、リザーバフィルム７２２と接触するレリーフパターン（例えば、歯または戻り防止リングなど）を備えてもよい。これは、フィルム７２２の把持と滑り止めの効果をフィルム７２２に与え、および／または、
−  前述の変形例または実施形態のそれぞれにおいて、少なくとも１つの復帰手段９６は、１つまたは複数のポケット９２内のガスによって、置き換えおよび／または補完され、１気圧を超える圧力に圧縮されてよく、および／または、
−  モジュール９３を含む前述の各実施形態において、デバイス２００に関して説明したような補償要素８９も存在することができ、この要素８９は、好ましくは、モジュール９３の後部の柔軟な壁、または壁９１の延長部（例えば横方向）においてモジュール９３に一体化され、および／または、
−  前述の各実施形態は、いくつかのリザーバ３（例えば、共通の壁を有する）、および／またはいくつかの出口２４、および／またはいくつかの流体循環経路（共通の出口２４または異なる出口２４を有する）、に適合させることができ、および／または、
−  一般に、前述の実施形態およびそれらの異なる可能な変形例を参照すると、本発明に係るデバイスは、下記のリザーバフィルムのうち、少なくとも１つ（２つ以上、好ましくは少なくとも２つ）のリザーバフィルム７２を含むことができることに留意されたい。
○  ストッパ２３とキャップ３２との間に挟んで締め付けることにより、本発明に係るデバイスに保持されるリザーバフィルム７２１および／または７２２、および／または
○  ストッパ２３と他の部品（例えば、３２１またはストッパ２３内のクランプリング）との間に挟んで締め付けることにより、本発明に係るデバイスに保持されるリザーバフィルム７２１および／または７２２、および／または
○  キャップ３２と他の部分（例えば、キャップ３２の外部のクランプリング）との間に挟んで締め付けることにより、本発明に係るデバイスに保持されるリザーバフィルム７２１および／または７２２、および／または
○  ストッパ２３がキャップ３２に及ぼす力によって少なくとも部分的に締め付けることにより、本発明に係るデバイスに保持されるリザーバフィルム７２１、および／または
○  入口３８を持つストッパ２３の部分に固定された、および／または入口３８を持つストッパ２３の部分と同じ材料による、および／または図２２に示すように（特に図１７，１９，２１または２２の変形例において）入口３８を持つストッパ２３の部分と材料の不連続性のない単一の部品を形成するリザーバフィルム７２１、および／または
○  （特に図１７の変形例において）キャップ３２にストッパ２３によって及ぼされる力によって少なくとも部分的に締め付けることにより、本発明に係るデバイスに保持されるリザーバフィルム７２２、および／または
○  キャップ３２と一体の、および／またはキャップ３２と同じ材料の、および／またはキャップ３２と材料の不連続性のない単一片を形成するリザーバフィルム７２２。
【０１５９】
もちろん、本発明の様々な特徴、形状、変形および実施形態は、それらが互いに非互換または排他的でない限り、様々な組み合わせで互いに関連付けられてもよい。特に、上記のすべての変形および実施形態は互いに組み合わせることができる。
【図１】
2020512956.tif 000003
【図２】
2020512956.tif 000004
【図３】
2020512956.tif 000005
【図４】
2020512956.tif 000006
【図５】
2020512956.tif 000007
【図６】
2020512956.tif 000008
【図７】
2020512956.tif 000009
【図８】
2020512956.tif 000010
【図９】
2020512956.tif 000011
【図１０】
2020512956.tif 000012
【図１１】
2020512956.tif 000013
【図１２】
2020512956.tif 000014
【図１３】
2020512956.tif 000015
【図１４】
2020512956.tif 000016
【図１５】
2020512956.tif 000017
【図１６】
2020512956.tif 000018
【図１６ａ】
2020512956.tif 000019
【図１７】
2020512956.tif 000020
【図１８】
2020512956.tif 000021
【図１９】
2020512956.tif 000022
【図２０】
2020512956.tif 000023
【図２１】
2020512956.tif 000024
【図２２】
2020512956.tif 000025
【国際調査報告】
2020512956.tif 000026
2020512956.tif 000027
2020512956.tif 000028
2020512956.tif 000029
2020512956.tif 000030
2020512956.tif 000031